(57)【特許請求の範囲】
【請求項１】
液晶表示パネルと、
この液晶表示パネルが支持される保持部材と、前記液晶表示パネルの周縁部を抑えるパネル抑えと、
前記液晶表示パネルと前記液晶表示パネルの背面に配置される回路基板とを電気的に接続する可撓性配線板と、を備えた液晶表示装置において、
前記保持部材は、前記可撓性配線板を前記回路基板に案内する第１の傾斜部を有したガイド部を備え、
前記パネル抑えは、前記第１の傾斜部と対応し、前記可撓性配線板を覆うための第２の傾斜部を有する保護部を備え、
前記保護部の端部には、前記回路基板の盤面方向と平行になるように形成された延長部を備え、前記延長部と前記回路基板との間に導電性部材が配置されていることを特徴とする液晶表示装置。
【請求項２】
前記液晶表示パネルが上ケースと下ケースに収納され、前記回路基板が前記上ケースに前記液晶表示パネルの背面側から固定された状態で、前記延長部と前記導電性部材とは前記回路基板と前記上ケースとに押圧されて当接することを特徴とする請求項１に記載の液晶表示装置。
【請求項３】
液晶表示パネルと、この液晶表示パネルが支持される保持部材と、前記液晶表示パネルの周縁部を抑えるパネル抑えと、
前記液晶表示パネルと前記液晶表示パネルの背面に配置される回路基板とを電気的に接続する可撓性配線板と、を備えた液晶表示装置において、
前記保持部材は、前記可撓性配線板を前記回路基板に案内する第１の傾斜部を有したガイド部を備え、
前記パネル抑えは、前記第１の傾斜部と対応し、前記可撓性配線板を覆うための第２の傾斜部を有する保護部を備え、
前記保護部の端部には、前記回路基板の板面方向と平行になるように形成された延長部と、前記端部と前記延長部とを連結する連結部と、が形成され、前記連結部によって前記端部と前記延長部とに対して弾性を有し、前記延長部と前記回路基板との間に導電性部材が配置されていることを特徴とする液晶表示装置。
【請求項４】
前記液晶表示パネルが上ケースと下ケースに収納され、前記回路基板が前記上ケースに前記液晶表示パネルの背面側から固定された状態で、前記延長部と前記導電性部材とは当接することを特徴とする請求項３に記載の液晶表示装置。
【発明の詳細な説明】
【技術分野】
【０００１】
本発明は、例えば自動車やオートバイに搭載される液晶表示装置に関し、特に可撓性配線板を用いて電気接続された液晶表示器を備えた液晶表示装置に関する。
【背景技術】
【０００２】
この種の液晶表示装置として例えば下記特許文献１に記載されたものが知られている。この液晶表示装置は、透過型の液晶表示パネルと、この液晶表示パネルが支持されるホルダーと、液晶表示パネルの周縁部を抑えるパネル抑えと、液晶表示パネルを駆動するための駆動回路を有する回路基板とを備え、可撓性配線板の一端が液晶表示パネルに接続され、他端が回路基板の裏面に実装されたコネクタに接続されているものである。
【０００３】
さらに、このような液晶表示装置は、可撓性配線板をガイドするガイド部を設け、ケース体から引き出された可撓性配線板をガイド部で引き回したのち回路基板に接続することで、自動車や建機機械等の振動が生じる虞のある状況下において、可撓性配線板が振動し、異音の発生や、接触不良や、可撓性配線板の断線などが生じるのを防ぐ構造となっていた。
【先行技術文献】
【特許文献】
【０００４】
【特許文献１】特開２０１２−１５３２８１号公報
【発明の開示】
【発明が解決しようとする課題】
【０００５】
しかしながら、前記特許文献１に記載の液晶表示装置は、パネル抑えを可撓性配線板のグランドに接続する静電気対策を行う際に、専用の接続端子を用いた構造であるため、専用の接続端子が必要でありコストを削減する必要があった。
【０００６】
そこで、本発明は前述した問題点に着目し、接続端子を用いることなく静電気対策が可能な液晶表示装置を提供することを目的とする。
【課題を解決するための手段】
【０００７】
本発明は、請求項１に記載のように、液晶表示パネルと、この液晶表示パネルが支持される保持部材と、前記液晶表示パネルの周縁部を抑えるパネル抑えと、前記液晶表示パネルと前記液晶表示パネルの背面に配置される回路基板とを電気的に接続する可撓性配線板と、を備えた液晶表示装置において、前記保持部材は、前記可撓性配線板を前記回路基板に案内する第１の傾斜部を有したガイド部を備え、前記パネル抑えは、前記第１の傾斜部と対応し、前記可撓性配線板を覆うための第２の傾斜部を有する保護部を備え、前記保護部の端部には、前記回路基板の盤面方向と平行になるように形成された延長部を備え、前記延長部と前記回路基板との間に導電性部材が配置されているものである。
【０００８】
また本発明は、請求項２に記載のように、前記液晶表示パネルが上ケースと下ケースに収納され、前記回路基板が前記上ケースに前記液晶表示パネルの背面側から固定された状態で、前記延長部と前記導電性部材とは前記回路基板と前記上ケースとに押圧されて当接するものである。
【０００９】
また本発明は、請求項３に記載のように、液晶表示パネルと、この液晶表示パネルが支持される保持部材と、前記液晶表示パネルの周縁部を抑えるパネル抑えと、前記液晶表示パネルと前記液晶表示パネルの背面に配置される回路基板とを電気的に接続する可撓性配線板と、を備えた液晶表示装置において、前記保持部材は、前記可撓性配線板を前記回路基板に案内する第１の傾斜部を有したガイド部を備え、前記パネル抑えは、前記第１の傾斜部と対応し、前記可撓性配線板を覆うための第２の傾斜部を有する保護部を備え、前記保護部の端部には、前記回路基板の板面方向と平行になるように形成された延長部と、前記端部と前記延長部とを連結する連結部と、が形成され、前記連結部によって前記端部と前記延長部とに対して弾性を有し、前記延長部と前記回路基板との間に導電性部材が
配置されているものである。
【００１０】
また本発明は、請求項４に記載のように、前記液晶表示パネルが上ケースと下ケースに収納され、前記回路基板が前記上ケースに前記液晶表示パネルの背面側から固定された状態で、前記延長部と前記導電性部材とは当接するものである。
【発明の効果】
【００１１】
本発明によれば、接続端子を用いることなく静電気対策が可能な液晶表示装置を提供することができる。
【図面の簡単な説明】
【００１２】
【図１】本発明の第１の実施形態による液晶表示装置の中ケース正面図。
【図２】本発明の第１の実施形態による液晶表示装置のＡ−Ａ断面図。
【図３】本発明の第１の実施形態によるパネル抑えの正面図。
【図４】本発明の第１の実施形態による液晶表示装置のＢ−Ｂ断面図。
【図５】本発明の第２の実施形態による液晶表示装置のＢ−Ｂ断面図。
【発明を実施するための形態】
【００１３】
本発明の第１の実施形態を車両に搭載される液晶表示装置を例にして説明する。
液晶表示装置は、矩形の透過型の液晶表示パネル１と、この液晶表示パネル１の裏面側に配置された導光板２と、液晶表示パネル１および導光板２が支持される保持部材であるホルダー３と、このホルダー３の背面に配置された硬質の回路基板４と、液晶表示パネル１の周縁を抑える金属製のパネル抑え５と、パネル抑え５の周縁を抑える不透過性の見返し部材６とを備えている。これら各部品は液晶表示器としてユニット化されている。
【００１４】
また、液晶表示装置は、液晶表示器が収納される下ケース８と、この下ケース８の開口側を被う上ケース９と、上ケース９に設けられた前面カバー１０によって覆われている。なお、図２中で示す両矢印は、本実施形態で説明する上（前面）側と下（背面）側を示すものであり、以後、この両矢印で示す方向を基準に説明する。
【００１５】
液晶表示パネル１は、二枚のガラス基板の間に液晶分子を封入し、各々のガラス基板に例えばスモーク調の偏光膜を貼ったものである。そして、ガラス基板に設けた図示しない電極部に外部測定量に応じた信号（電圧）が印加されると、例えば車両のエンジン回転数や燃料残量などが表示される液晶表示部（図示せず）が黒色で現れるようになっている。
【００１６】
ホルダー３は例えば白色の合成樹脂からなり、ホルダー３の周壁３１には、後述するＦＰＣが回路基板４側へ案内されるためのガイド部であるＦＰＣガイド部３１１が設けられ、回路基板４に向かうに従って液晶表示パネル１から離れるように形成された第１の傾斜部３１２を有している。
【００１７】
回路基板４には、図示しないが電源回路や液晶を駆動させる駆動回路などの制御手段が設けられている。液晶表示パネル１と回路基板４とは可撓性配線板であるＦＰＣ１９によって電気的に接続されている。ＦＰＣ１９の一端は液晶表示パネル１に固着され、他端はコネクタ２０を用いて回路基板４と接続されている。
【００１８】
パネル抑え５は、液晶表示パネル１の周縁を覆う枠状の縁部を有する金属性のパネル抑えであり、液晶表示パネル１が視認可能な開口窓５Ａを有している。
【００１９】
またパネル抑え５は、ＦＰＣガイド部３１１と対応する箇所に、ＦＰＣガイド部３１１の上方を覆うＦＰＣ保護部５１１が形成され、ＦＰＣガイド部３１１の第１の傾斜部３１２とほぼ同等の傾斜を有した第２の傾斜部５１２が設けられている。
【００２０】
図２、３に示すように、パネル抑え５は、第２の傾斜部５１２から回路基板４の盤面方向に延長されたフランジ部５１を有している。このフランジ部５１は、回路基板４との間に隙間ができるように設けられている。
【００２１】
また、図３に示すように、パネル抑え５は、更にフランジ部５１の両端から回路基板４の盤面方向に延長された延長部５２を有している。この延長部５２は、回路基板４に配置された導電性部材である半田層４１と接触するように設けられている。なお、本実施形態では、延長部５２は、フランジ部５１を介してＦＰＣ保護部５１１に形成されていたが、本実施形態に限定されるものではなく、フランジ部５１を介することなく、ＦＰＣ保護部５１１に延長部５２を設ける形状であってもよい。
【００２２】
見返し部材６は、例えば黒色の合成樹脂からなり、パネル抑え５の周縁と前面とを覆うように設けられ、液晶表示パネル１が視認可能な開口部６Ａと、この開口部６Ａの周囲でパネル抑え５の周縁を抑える縁部６１を有している。
【００２３】
上ケース９は、液晶表示パネル１の前方側に配置され無色透明な合成樹脂からなる前面パネル１０と、この前面パネル１０の周囲に一体的に形成された覆い部９１および側壁９２を有している。この覆い部９１および側壁９２は例えば黒色の合成樹脂からなり、下ケース８の内部が見えないようにしてある。また、下ケース８は例えば白色の合成樹脂からなり、ビス１１や、図示しないがフックなどによって上ケース９と固定されている。
【００２４】
上ケース９には、回路基板４に上側から当接する突き当て部９ａが形成されている。
液晶表示パネル１が上ケース９と下ケース８に収納され、下ケース８が、回路基板４とともに、液晶表示パネル１の背面側からビス１１で固定された状態で、延長部５２と半田層４１とは、回路基板４と上ケース９の突き当て部９ａとの間で押圧されて当接する。
【００２５】
このように構成された液晶表示装置において、ＦＰＣ１９は、第１の傾斜部３１２と第２の傾斜部５１２との間を通過し、次に、回路基板４とフランジ部５１との間の隙間を通過し、回路基板４の裏面側に引き回されコネクタ２０に接続される。
【００２６】
また、下ケース８と上ケース９とをビス１１などで固定すると、上ケース９の突き当て部９ａと回路基板４によって、延長部５２と半田層４１とが押しつけられる。半田層４１が圧縮され、延長部５２と回路基板４とが電気的に接続することで、液晶表示パネル１に帯電した静電気を延長部５２を介して半田層４１および回路基板４に逃すことが可能となる。なお、本実施形態では、上ケース９と下ケース８との固定や、回路基板４を上ケース９に固定手段として、ビス１１を用いていたが、固定手段は、ビス１１に限定されるものではなく、任意に選択可能である。また、本実施形態では、回路基板４を上ケース９に固定する際に、下ケース８も同時に固定していたが、下ケース８を同時に固定する必要はなく、回路基板４のみを上ケース９に固定するものであってもよい。
【００２７】
このように本発明は、液晶表示パネル１と、この液晶表示パネル１が支持されるホルダー３と、液晶表示パネル１の周縁部を抑えるパネル抑え５と、液晶表示パネル１と液晶表示パネル１の背面に配置される回路基板４とを電気的に接続するＦＰＣ１９と、を備えた液晶表示装置において、ホルダー３は、ＦＰＣ１９を回路基板４に案内する第１の傾斜部３１２を有したガイド部３１１を備え、パネル抑え５は、第１の傾斜部３１２と対応し、ＦＰＣ１９を覆うための第２の傾斜部５１２を有するＦＰＣ保護部５１１を備え、ＦＰＣ保護部５１１の端部には、回路基板４の盤面方向と平行になるように形成された延長部５２を備え、延長部５２と回路基板４との間に半田層４１が配置されていることによって、専用の接続端子を用いることなく液晶表示パネル１に帯電した静電気を、延長部５２から回路基板４へ逃がすことができる。
【００２８】
また、本発明は、液晶表示パネル１が上ケース９と下ケース８に収納され、回路基板４が上ケース９に液晶表示パネル１の背面側からビス１１固定された状態で、延長部５２と半田層４１とは回路基板４と上ケース９とに押圧されて当接することによって、延長部５２と回路基板４とを半田層４１を介して確実に接続することができる。
【００２９】
次に、第２の実施形態を説明する。第１の実施形態と共通する箇所の説明は省略する。
【００３０】
上ケース９には、図５に示すように、回路基板４に上側から当接する突き当て部９ａが形成されていない。
ＦＰＣ保護部５１１の端部には、回路基板４の板面方向と平行になるように形成された延長部５２と、端部と延長部５２とを連結する連結部５３と、が形成され、連結部５３によって端部と延長部５２とに対して弾性を有するように、連結部５３が、ＦＰＣ保護部５１１の端部と延長部５２とに対して傾斜を有している。すなわち、連結部５３の板面方向が、ＦＰＣ保護部５１１の端部の板面方向と延長部５２の板面方向とに対して傾斜を有している。連結部５３が、傾斜を有することによって、本実施形態の上下方向に対して、弾性を有する。
液晶表示パネル１が上ケース９と下ケース８に収納され、下ケース８が、回路基板４とともに、液晶表示パネル１の背面側からビス１１で固定された状態で、延長部５２と半田層４１とは当接する。
【００３１】
このように構成された液晶表示装置において、ＦＰＣ１９は、第１の傾斜部３１２と第２の傾斜部５１２との間を通過し、次に、回路基板４とフランジ部５１との間の隙間を通過し、回路基板４の裏面側に引き回されコネクタ２０に接続される。
【００３２】
また、下ケース８と上ケース９とをビス１１などで固定すると、連結部５３が延長部５２に対して傾斜を有していることによって、連結部５３の弾性によって撓むことで延長部５２と半田層４１とが当接する。半田層４１が圧縮され、延長部５２と回路基板４とが電気的に接続することで、液晶表示パネル１に帯電した静電気を延長部５２を介して半田層４１および回路基板４に逃すことが可能となる。なお、本実施形態では、連結部５３を前記端部や延長部５２に対して傾斜させたことで、前記端部と延長部５２に対して弾性を持たせていたが、連結部５３を湾曲させることによって、前記端部と延長部５２に対して弾性を持たせるようにしてもよい。なお、本実施形態では、上ケース９と下ケース８との固定や、回路基板４を上ケース９に固定手段として、ビス１１を用いていたが、固定手段は、ビス１１に限定されるものではなく、任意に選択可能である。また、本実施形態では、回路基板４を上ケース９に固定する際に、下ケース８も同時に固定していたが、下ケース８を同時に固定する必要はなく、回路基板４のみを上ケース９に固定するものであってもよい。
【００３３】
このように本発明は、液晶表示パネル１と、この液晶表示パネル１が支持されるホルダー３と、液晶表示パネル１の周縁部を抑えるパネル抑え５と、液晶表示パネル１と液晶表示パネル１の背面に配置される回路基板４とを電気的に接続するＦＰＣ１９と、を備えた液晶表示装置において、ホルダー３は、ＦＰＣ１９を回路基板４に案内する第１の傾斜部３１２を有したガイド部３１１を備え、パネル抑え５は、第１の傾斜部３１２と対応し、ＦＰＣ１９を覆うための第２の傾斜部５１２を有するＦＰＣ保護部５１１を備え、ＦＰＣ保護部５１１の端部には、回路基板４の盤面方向と平行になるように形成された延長部５２と、前記端部と延長部５２とを連結する連結部５３と、が形成され、連結部５３によって前記端部と延長部５２とに対して弾性を有し、延長部５２と回路基板４との間に半田層４１が配置されていることによって、専用の接続端子を用いることなく液晶表示パネル１に帯電した静電気を、延長部５２から回路基板４へ逃がすことができる。
【００３４】
また、本発明は、液晶表示パネル１が上ケース９と下ケース８に収納され、回路基板４が上ケース９に液晶表示パネル１の背面側から固定された状態で、延長部５２と半田層４１とは当接することによって、延長部５２と回路基板４とを半田層４１を介して確実に接続することができる。また、第２の実施形態では、第１の実施形態のように、突き当て部９ａにて、延長部５２と回路基板４とを半田層４１を介して押圧されて当接する必要がなく、上ケース９の形状を簡素化することができる。
【符号の説明】
【００３５】
１      液晶表示パネル
２      導光板
３      ホルダー（保持部材）
４      回路基板
５      パネル抑え
６      見返し部材
８      下ケース
９      上ケース
１０    前面カバー
１９    ＦＰＣ（可撓性配線板）
２０    コネクタ
４１    半田層（導電性部材）
５１  フランジ部
５２  延長部
５３  連結部
３１１  ＦＰＣガイド部（ガイド部）
３１２  第１の傾斜部
５１１  ＦＰＣ保護部（保護部）
５１２  第２の傾斜部
【図１】
0006653063.tif 000002
【図２】
0006653063.tif 000003
【図３】
0006653063.tif 000004
【図４】
0006653063.tif 000005
【図５】
0006653063.tif 000006